(57)【要約】【課題】５５０ｎｍ以下の波長成分を含むことがないのでビールの日光臭を発生させることがなく、かつ照度も確保でき、しかも作業環境が悪化することがない。【解決手段】  光源２００と、この光源２００から発せられる光の特定の波長成分をカットするフィルター３００とを有しており、フィルター３００は、５５０ｎｍ以下の波長成分をカットするものである。また、光源には、フィルター３００によって５５０ｎｍ以下の波長成分をカットされた第１の光源２１０と、５００ｎｍ以下の波長成分を含む第２の光源２２０とがある。【選択図】      図１
2018098007.tif 000002
【特許請求の範囲】
【請求項１】
光源と、この光源から発せられる光の特定の波長成分をカットするフィルターとを具備することを特徴とする照明器具。
【請求項２】
前記フィルターは、５５０ｎｍ以下の波長成分をカットすることを特徴とする請求項１記載の照明器具。
【請求項３】
前記光源は、フィルターによって５５０ｎｍ以下の波長成分をカットされた第１の光源と、５００ｎｍ以下の波長成分を含む第２の光源とを有していることを特徴とする請求項１又は２記載の照明器具。
【請求項４】
前記第１の光源には白色発光ダイオードが、第２の光源には青色発光ダイオードがそれぞれ使用されることを特徴とする請求項３記載の照明器具。
【請求項５】
光源と、この光源から発せられる光の特定の波長成分をカットするフィルターとを具備しており、前記光源は、５００ｎｍ以上の波長成分をカットする第１のフィルターと組み合わせられる白色発光ダイオードからなる第１の光源と、５５０ｎｍ以下の波長成分をカットする第２のフィルターと組み合わせされる白色発光ダイオードからなる第２の光源とを有していることを特徴とする請求項１記載の照明器具。
【発明の詳細な説明】
【技術分野】
【０００１】
本発明は、特定の波長領域の光照射が必要な分野、あるいは特定の波長領域の光の照射を避けたい分野に適した照明器具、例えばビール等のアルコール飲料に日光臭を生じさせることがなく、しかも作業環境が悪化しない照明器具を提供することを目的としている。
【背景技術】
【０００２】
ビールは、日光が照射されると「日光臭」と称される悪臭が生じることが知られている。この「日光臭」は、動物の毛が蒸れたような不快な臭いであり、スカンクに例えられることがある。
かかる「日光臭」は、ビール中のホップの苦み成分に５５０ｎｍ以下の波長成分が照射されることで「日光臭」の原因物質に変化することで生じる。
瓶ビールの瓶に褐色のものが多く使われているのは、この「日光臭」の原因となる波長成分を可能な限りカットするためである。
【０００３】
また、ビールの製造工場においては、「日光臭」の発生を抑制するために５５０ｎｍ以下の波長成分が比較的少ないナトリウムランプ等のオレンジ色の光源を用いることが多かった。
近年では節電等の観点やＬＥＤランプの発達、普及に伴って５５０ｎｍ以下の波長成分を極力少なくしたオレンジ色の光を照射する照明器具を使用するようになっている（特許文献１参照）。
【０００４】
なお、この「日光臭」はビールに限定された問題ではなく、清酒等の他のアルコール飲料にも存在する問題である。なお、本明細書ではアルコール飲料の代表としてビールを挙げるが、この照明器具はビールにのみ適用されるものでないことはいうまでもない。
また、特定の波長領域の光照射が必要な分野、あるいは特定の波長領域の光の照射を避けたい分野に適した照明器具の要望もある。
【０００５】
【特許文献１】登録実用新案第３１９６２９６号公報
【発明の開示】
【発明が解決しようとする課題】
【０００６】
しかしながら、５５０ｎｍ以下の波長成分を極力少なくした照明器具であっても、５５０ｎｍ以下の波長成分が含まれている。ビール瓶でカットされる５００ｎｍ以下の波長成分を除外したとしても、５００〜５５０ｎｍの波長成分は全体の約１０％は含まれていることになる
また、このような照明器具を使用すると、照度は確保できるが全体にオレンジっぽく又は黄色っぽくなるので、作業環境が悪化するという問題がある。具体的には、色の再現性が悪化したり（他の色が感じられなくなること）、作業員が不快を感じることが挙げられる。
【０００７】
本発明は、上記事情に鑑みて創案されたもので、５５０ｎｍ以下の波長成分を含むことがないのでビールの日光臭を発生させることがなく、かつ照度も確保でき、しかも作業環境が悪化することがない照明器具を提供することを目的としている。また、特定の波長領域の光照射が必要な分野、あるいは特定の波長領域の光の照射を避けたい分野に適した照明器具を提供することも目的としている。
【課題を解決するための手段】
【０００８】
本発明に係る照明器具は、光源と、この光源から発せられる光の特定の波長成分をカットするフィルターとを備えており、前記フィルターは、５５０ｎｍ以下の波長成分をカットするものである。
【０００９】
また  前記光源は、フィルターによって５５０ｎｍ以下の波長成分をカットされた第１の光源と、５００ｎｍ以下の波長成分を含む第２の光源とを有しているとよい。
【発明の効果】
【００１０】
本発明に係る照明器具は、５５０ｎｍ以下の波長成分がフィルターによってカットされるので、ビールの日光臭の原因となる成分を生じさせることがない。
また、この照明器具の光源には、５００ｎｍ以下の波長成分を含む第２の光源が設けられているので、全体にオレンジっぽく又は黄色っぽくなることに起因する、作業環境の悪化が生じないというメリットがある。
【図面の簡単な説明】
【００１１】
【図１】本発明の第１の実施の形態に係る照明器具の概略的斜視図である。
【図２】本発明の第１の実施の形態に係る照明器具に使用されるフィルターの透過率のグラフである。
【図３】本発明の第１の実施の形態に係る照明器具から発せられる光の波長成分の相対強度を示すグラフである。
【図４】本発明の第１の実施の形態に係る照明器具のフィルターの取付方を示す概略的断面図でである。
【発明を実施するための形態】
【００１２】
本発明の第１の実施の形態に係る照明器具１０００は、光源２００と、この光源２００から発せられる光の特定の波長成分をカットするフィルター３００とを有しており、フィルター３００は、５５０ｎｍ以下の波長成分をカットするものである。
【００１３】
かかる照明器具１０００を構成する筐体１００は、図１に示すように、概略的直方体状に形成されており、その上面１１０には４つの開口１２０が一列に開設されている。これらの開口１２０は、光源２００が臨む部分である。
前記筐体１００の４つの開口１２０のうち、３つには後述する第１の光源２１０が、１つには後述する第２の光源２２０がそれぞれセットされる。
なお、この筐体１００の内部には、図示しない電源回路等の電子回路が内蔵されている。また、この筐体１００には、放熱のためのダイキャスト製の放熱フィンが設けられている。
【００１４】
前記光源２００は、フィルター３００によって５５０ｎｍ以下の波長成分をカットされた第１の光源２１０と、５００ｎｍ以下の波長成分を含む第２の光源２２０との２種類がある。
前記第１の光源２１０には複数個（図面では４個）の白色発光ダイオードが、第２の光源２２０には複数個（図面では４個）の青色発光ダイオードがそれぞれプリント基板に実装されたものを使用する。
【００１５】
前記第１の光源２１０の前面には、フィルター３００が設けられている。
このフィルター３００は、図２に示すような特性を有している。すなわち、このフィルター３００は、５５０ｎｍ〜５００ｎｍの波長成分は１００％カットし、５００ｎｍ以下の波長成分は９９％カットすることができるようになっているので、５５０ｎｍ以下の波長成分は１００％近くがカットされることになる。その結果、この照明器具１０００から発せられる光のうち５００ｎｍ〜５５０ｎｍの波長成分は、図３に示すように、全体の０．３％となっている。
【００１６】
このフィルター３００によって５５０ｎｍ以下の波長成分がほぼ１００％カットされる結果、第１の光源２１０から発せられる光は黄色みを帯びたオレンジ色となっている。
なお、フィルター３００は、図４に示すように、第１の光源２１０の前面側にセットされた透明なカバー２５０に貼付することで設けられる。
【００１７】
なお、このフィルター３００によって５００ｎｍ以下の波長成分が１％程度カットできないとしても、５００ｎｍ以下の波長成分はビール瓶によってカットされるので、フィルター３００による５５０ｎｍ〜５００ｎｍの波長成分のカットと相まって日光臭発生の問題はクリアしている。
【００１８】
上述したフィルター３００には、色フィルター又はダイクロイックフィルターを使用する。色フィルターは、特定の波長成分の光を吸収するすることでそれをカットする。また、ダイクロイックフィルターは、光の干渉を用いて特定の波長成分を反射又は透過させることでそれをカットする。
【００１９】
色フィルターは、光の入射角度に依存しないが、ダイクロイックフィルターは光の入射角度に依存する。
なお、色フィルターは、光を吸収することで特定の波長領域の光をカットするため、それ自身の温度が上昇する。従って、この色フィルターは高出力の光源には適さない。しかしながら、ダイクロイックフィルターは不要な光（特定の波長領域以外の光）は反射されるため、それ自身の温度はそれほど上昇しない。従って、高出力の光源の場合は、色フィルターよりダイクロイックフィルターの方が適しているが、低出力の光源の場合、色フィルターは光の入射角に依存しないので、扱いやすいという利点を有している。
【００２０】
また、ダイクロイックフィルターは、光の入射角に依存するため、レンズ等を用いて配光制御を行なう必要がなる。例えば、ダイクロイックフィルターは、スポットライト等の夾角配光であればあるほど有効となる。
【００２１】
色フィルターは植物育成のプラント等で特定の波長成分の光を照射したい照明器具に向いており、ダイクロイックフィルターは特定の波長成分の光をカットしたい工場や施設内の高天井に設置される照明器具に適している。
【００２２】
また、青色発光ダイオードからなる第２の光源２２０が存在するため、照明器具１０００の照度を全体として向上させることができる。
すなわち、第１の光源２１０のみであると、第１の光源２１０から発せられる光は黄色みを帯びたオレンジ色であるため、照度が低く、色の再現性が悪化したり、作業員が不快を感じる原因となり、作業環境を悪化させるが、第２の光源２２０が存在するため、そのような作業環境の悪化を招くことがない。
なお、第２の光源２２０から発せられる光の波長成分は５００ｎｍ以下であるが、この波長成分はビール瓶によってカットされるので、日光臭発生の問題はクリアしている。
【００２３】
上述した第１の実施の形態に係る照明器具１０００では、第１の光源２１０には複数個の白色発光ダイオードを使用するとしたが、電球色系の発光ダイオードを使用することも可能である。
【００２４】
上述した第１の実施の形態に係る照明器具１０００では、第１の光源２１０に白色発光ダイオードと５５０ｎｍ以下の波長成分をカットするフィルター３００を組み合わせたものを、第２の光源２２０に青色発光ダイオードを使用したものを用いていたが，その組み合わせ以外のものであってもよい。
例えば、第２の実施の形態に係る照明器具にあっては、光源は、５００ｎｍ以上の波長成分をカットする第１のフィルターと組み合わせられる白色発光ダイオードからなる第１の光源と、５５０ｎｍ以下の波長成分をカットする第２のフィルターと組み合わせされる白色発光ダイオードからなる第２の光源とを有している。
【００２５】
このような第２の実施の形態に係る照明器具では、５００ｎｍ〜５５０ｎｍの波長成分を全体の１％以下とすることができるので、ビールの日光臭を発生させることはない。
かかる第２の実施の形態に係る照明器具では、第１の光源と第２の光源とに同じ白色発光ダイオードを使用することができるので、第１の実施の形態に係る照明器具１０００のように白色発光ダイオードと青色発光ダイオードとのような２種類の発光ダイオードを準備する必要がない。
なお、この第２の実施の形態に係る照明器具であっても、白色発光ダイオードの代わりに電球色系の発光ダイオードを使用することも可能である。
【００２６】
また、この第２の実施の形態に係る照明器具だけでなく、青色発光ダイオードを使用した照明器具を組み合わせて使用することで、全体の照度の向上、色の再現性が悪化する問題を解消することができる。
【００２７】
本発明の実施の形態に係る照明器具は、ビール等のアルコール飲料の「日光臭」解消のためのものであるとして説明したが、特定の波長成分の光が必要とされる分野にも応用することができる。例えば、植物の育成、薬品等の保管庫、感光紙等の光に反応する製品の製造現場、漁業における集魚用光源、スーパーマーケット等での食肉、鮮魚、野菜等の食品棚用光源、感情コントロール用光源としても応用することができる。
【符号の説明】
【００２８】
２００    光源
２１０    第１の光源
２２０    第２の光源
３００    フィルター
１０００  照明器具
【図１】
2018098007.tif 000003
【図２】
2018098007.tif 000004
【図３】
2018098007.tif 000005
【図４】
2018098007.tif 000006
【手続補正書】
【提出日】平成29年12月13日(2017.12.13)
【手続補正１】
【補正対象書類名】特許請求の範囲
【補正対象項目名】全文
【補正方法】変更
【補正の内容】
【特許請求の範囲】
【請求項１】
フィルターによって５００ｎｍ〜５５０ｎｍの波長成分がカットされた第１の光源と、５００ｎｍ以下の波長成分のみからなる第２の光源とを具備していることを特徴とするビールの日光臭を抑制する照明器具。
【請求項２】
前記第１の光源には白色発光ダイオードを、前記第２の光源には青色発光ダイオードをそれぞれ使用することを特徴とする請求項１記載のビールの日光臭を抑制する照明器具。
【手続補正３】
【補正対象書類名】明細書
【補正対象項目名】０００１
【補正方法】変更
【補正の内容】
【０００１】
本発明は、ビールの日光臭を生じさせることなく、作業環境が悪化しないビールの日光臭を抑制する照明器具に関する。
【手続補正４】
【補正対象書類名】明細書
【補正対象項目名】０００４
【補正方法】削除
【補正の内容】
【手続補正５】
【補正対象書類名】明細書
【補正対象項目名】０００７
【補正方法】変更
【補正の内容】
【０００７】
本発明は、上記事情に鑑みて創案されたもので、ビールの日光臭を抑制することができる照明装置を提供することを目的としている。
【手続補正６】
【補正対象書類名】明細書
【補正対象項目名】０００８
【補正方法】変更
【補正の内容】
【０００８】
本発明に係るビールの日光臭を抑制する照明器具は、５００ｎｍ〜５５０ｎｍの波長成分がカットされた第１の光源と、５００ｎｍ以下の波長成分のみからなる第２の光源とを備えている。
【手続補正７】
【補正対象書類名】明細書
【補正対象項目名】０００９
【補正方法】変更
【補正の内容】
【０００９】
前記第１の光源には白色発光ダイオードを、前記第２の光源には青色発光ダイオードをそれぞれ使用する。
【手続補正８】
【補正対象書類名】明細書
【補正対象項目名】００１０
【補正方法】変更
【補正の内容】
【００１０】
本発明に係るビールの日光臭を抑制する照明器具は、第１の光源では５００ｎｍ〜５５０ｎｍの波長成分がフィルターによってカットされ、かつ５００ｎｍ以下の波長成分はビール瓶でカットされ、第２の光源ではビール瓶でカットされる５００ｎｍ以下の波長成分のみが含まれているので、ビールの日光臭の原因となる成分が生じない。
また、この照明器具は、５００ｎｍ以下の波長成分のみが含まれる第２の光源があるため、全体にオレンジっぽく又は黄色っぽくなることがないので、作業環境の悪化が生じないというメリットがある。
【手続補正９】
【補正対象書類名】明細書
【補正対象項目名】００１１
【補正方法】変更
【補正の内容】
【００１１】
【図１】本発明の第１の実施の形態に係るビールの日光臭を抑制する照明器具の概略的斜視図である。
【図２】本発明の実施の形態に係るビールの日光臭を抑制する照明器具に使用されるフィルターの透過率のグラフである。
【図３】本発明の実施の形態に係るビールの日光臭を抑制する照明器具から発せられる光の波長成分の相対強度を示すグラフである。
【図４】本発明の実施の形態に係るビールの日光臭を抑制する照明器具のフィルターの取り付け方を示す概略的断面図である。
【手続補正１０】
【補正対象書類名】明細書
【補正対象項目名】００１２
【補正方法】変更
【補正の内容】
【００１２】
本発明の第１の実施の形態に係るビールの日光臭を抑制する照明器具１０００は、光源２００とこの光源２００から発せられる光の特定の波長成分をカットするフィルター３００とを有しており、フィルター３００は、５００ｎｍ〜５５０ｎｍの波長成分をカットするものである。
【手続補正１１】
【補正対象書類名】明細書
【補正対象項目名】００１４
【補正方法】変更
【補正の内容】
【００１４】
前記光源２００は、フィルター３００によって５００ｎｍ〜５５０ｎｍの波長成分がカットされた第１の光源２１０と、５００ｎｍ以下の波長成分のみが含まれる第２の光源２２０との２種類がある。
前記第１の光源２１０には複数個（図面では４個）の白色発光ダイオードが、第２の光源２２０には複数個（図面では４個）の青色発光ダイオードがそれぞれプリント基板に実装されたものを使用する。
【手続補正１２】
【補正対象書類名】明細書
【補正対象項目名】００１５
【補正方法】変更
【補正の内容】
【００１５】
前記第１の光源２１０の前面には、フィルター３００が設けられている。
このフィルター３００は、図２に示すような特性を有している。すなわち、このフィルター３００は、５００ｎｍ〜５５０ｎｍの波長成分は１００％カットし、５００ｎｍ以下の波長成分は９９％カットすることができるようになっているので、５５０ｎｍ以下の波長成分は１００％近くがカットされることになる。その結果、このビールの日光臭を抑制する照明器具１０００から発せられる光のうち５００ｎｍ〜５５０ｎｍの波長成分は、図３に示すように、全体の０．３％となっている。
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】